(57)【要約】【課題】波浪やうねり等によるロープの上下の揺れや振動を抑制し、帆立貝の殻の閉じる頻度、程度を少なくし、餌を多く摂取させるようにし、帆立貝の成長を促すことができるようにした養殖装置を提供する。【解決手段】海面に浮く複数の浮体５３と、これらの浮体５３間に掛け渡された横ロープ５と、この横ロープ５から垂れ下げられた複数の縦ロープ１０と、この縦ロープ１０に係止した複数の係止ピン２１に帆立貝２２を係止し、又は縦ロープ１０に帆立貝を収容する複数の籠を吊り下げて帆立貝を養殖する帆立貝養殖装置であり、縦ロープ１０に引っ張りバネ１３を介設した。【選択図】図１
0003181957.tif 000002
【実用新案登録請求の範囲】
【請求項１】
浮体から垂れ下げられたロープに係止ピンを介して帆立貝を係止し、又は籠に帆立貝を収容して帆立貝を養殖する帆立貝養殖装置において、
前記浮体と前記ロープとの間に引っ張りバネを介設した、
ことを特徴とする帆立貝養殖装置。
【請求項２】
前記ロープは、浮体で海中に横向きに支持された横ロープと、該横ロープから垂れ下げられ、帆立貝を係止ピンを介して係止し、又は帆立貝を籠を介して収容する縦ロープとからなり、前記浮体と横ロープとの間に引っ張りバネを介設したことを特徴とする請求項１記載の帆立貝養殖装置。
【請求項３】
前記浮体は一部を海面上に露出し、浮体と前記横ロープとの間に引っ張りバネを介設し、前記横ロープから垂れ下げられ、帆立貝を係止ピンを介して係止し、又は帆立貝を籠を介して収容する縦ロープとからなることを特徴とする請求項１又は２記載の帆立貝養殖装置。
【請求項４】
前記縦ロープの下端部は海底から離間していることを特徴とする請求項１〜３何れか１項に記載の帆立貝養殖装置。
【請求項５】
海面に浮く複数の浮体と、これらの浮体間に掛け渡された横ロープと、この横ロープから垂れ下げられた複数の縦ロープと、この縦ロープに係止した複数の係止ピンに帆立貝を係止し、又は縦ロープに帆立貝を収容する複数の籠を吊り下げて帆立貝を養殖する帆立貝養殖装置において、
前記縦ロープに引っ張りバネを介設した、
ことを特徴とする帆立貝養殖装置。
【請求項６】
前記縦ロープは、前記横ロープに連結した第１ロープと、この第１ロープに連結し、前記帆立貝を保持する第２ロープとからなり、
前記第１ロープと前記第２ロープとの間に引っ張りバネを介設した、
ことを特徴とする請求項５記載の帆立貝養殖装置。
【請求項７】
前記引っ張りバネの両端部の鉤部は、脱落防止部を備えていることを特徴とする請求項１〜６何れか１項に記載の帆立貝養殖装置。
【請求項８】
前記引っ張りバネの脱落防止部は、端部に設けたＣ形鉤部であり、この鉤部の先端部に返し部を形成したことを特徴とする請求項７記載の帆立貝養殖装置。
【請求項９】
前記引っ張りバネの鉤部の脱落防止部は、端部に設けたＣ形鉤部であり、鉤部のＣ部間に紐状部材を掛け渡して閉ループ状に構成したことを特徴とする請求項７記載の帆立貝養殖装置。
【請求項１０】
前記引っ張りバネの弾性限界を超えて伸びることを防止するストッパを設けたことを特徴とする請求項１〜６何れか１項に記載の帆立貝養殖装置。
【請求項１１】
前記ストッパは、前記引っ張りバネの両端部と縦、横ロープの連結部との間に掛け渡されたロープであることを特徴とする請求項１０記載の帆立貝養殖装置。
【請求項１２】
一部を海面上に露出する浮体で海中に横向きに配置された横ロープを支持し、この横ロープに複数の縦ロープを垂れ下げ支持し、この縦ロープに係止ピンを介して帆立貝を係止し、又は籠に帆立貝を収容して帆立貝を養殖する帆立貝養殖装置において、
前記浮体と横ロープとの間に引っ張りバネを介設し、
前記縦ロープと横ロープとの間に引っ張りバネを介設した、
ことを特徴とする帆立貝養殖装置。
【考案の詳細な説明】
【技術分野】
【０００１】
本考案は、帆立貝養殖装置の改良に関するものである。
【背景技術】
【０００２】
帆立貝の養殖として海中に垂らしたロープに係止ピンを介して帆立貝を係止し、或いはロープに籠を吊り下げて帆立貝を収容し、養殖する帆立貝の耳吊り養殖、籠養殖は従来から知られている。
【先行技術文献】
【特許文献】
【０００３】
【特許文献１】実用新案登録第３１５６６７３号公報（図１４）
【０００４】
帆立貝の養殖を示す特許文献１の図１４を、本考案の図１２で再掲して説明する。
尚、符号を新たに付り直した。
図１２は帆立貝の耳吊り養殖を示し、海底１００に固定したアンカー１０２，１０２に基端部を固定したアンカーロープ１０３，１０３の先端部（上端部）間に横ロープ１０４を結束し、横ロープ１０４は、長さ方向（横方向）に間隔を開けて複数箇所を浮体１０５…（…は複数を表す。以下同じ）に結束し、横ロープ１０４を海面１０１下の所定深さに保持する。
【０００５】
横ロープ１０４には、長さ方向に所定間隔で複数の縦ロープ１０６…を吊り下げ、縦ロープ１０６…の夫々には、縦ロープ１０６の長さ方向（縦方向）に所定ピッチで係止ピン１０７…を係止し、各係止ピン１０７…の一端端部、又は両端部に帆立貝１０８，１０８の耳片を係止（図は両端部の係止した例を示す）する。
横ロープ１０４の両端部とアンカーロープ１０３，１０３の連結部には、海面上に上半部が露出する露出浮体１０９…を連結し、海面における養殖場所の目印とする。
以上により帆立貝の耳吊り養殖を実施する。
【０００６】
図１３は、帆立貝の耳吊り養殖を示す詳細図である。
縦ロープ１０６には、所定ピッチで係止ピン１０７が横断貫通して抜止片１０７ｂ，１０７ｂにより係止されており、返しを設けた両端部の係止部１０７ａ、１０７ａを帆立貝１０８，１０８の耳片１０８ａ，１０８ａに設けた係止孔を介して通し、２枚の帆立貝の耳片１０８ａ，１０８ａを係止ピン１０７，１０７の両端部に係止する。
【０００７】
図１４は、図１２の要部の拡大図である。
図のように縦ロープ１０６には、所定ピッチで多数の係止ピン１０７…が、ロープと直交するように横向きに貫通係止されており、係止ピン１０７…の夫々の両端部に帆立貝１０８…が係止されて保持されている。
縦ロープは、例えば１０〜１５ｍであり、係止ピンの長さは７〜８ｃｍであり、係止ピン間の間隔は１０〜１３ｃｍである。
【考案の概要】
【考案が解決しようとする課題】
【０００８】
以上の従来の帆立貝の耳吊り養殖は、図１２のように海中に垂らした縦ロープ１０６…に帆立貝を係止ピンを介して係止し、養殖するものあでる。
ところで、本来、帆立貝は海底に生息し、波浪等の影響の無い静かな環境で生息し、成長するものである。
しかしながら、海中に縦ロープを垂らし、縦ロープに帆立貝を係止して養殖する従来の垂下式の耳吊り養殖では、海中に垂下したロープに波浪やうねりに伴う揺れや振動が生じ、これに起因する生育不良が発生する、という課題がある。
その理由は、施設を維持管理するために浮玉、フロート等の浮体で海中に保持されたロープには波浪やうねりに伴う揺れや振動が発生し、特に浮体の近辺に垂下された帆立貝には、揺れ、振動が顕著に作用し、その影響により、帆立貝は、普段は開けている殻を頻繁に閉じることとなり、餌であるプランクトンの摂取量が減ってしまい、結果として成長不良を惹起することとなる。
係止ピンに代え、ロープを介して重層、積層式に籠を垂下し、籠内に帆立貝を収容する式の養殖においても同様の課題がある。
【０００９】
本考案は、以上の課題を解決すべくなされたものある。
本考案は、海中にロープを垂下して養殖する式の帆立貝の養殖において、波浪やうねり等によるロープの上下の揺れや振動を抑制し、帆立貝の殻の閉じる頻度、程度を少なくし、餌を多く摂取させるようにし、帆立貝の成長を促すことができるようにした養殖装置を提供することを目的とする。
【課題を解決するための手段】
【００１０】
上記課題を解決するために、請求項１に係る考案は、浮体から垂れ下げられたロープに係止ピンを介して帆立貝を係止し、又は籠に帆立貝を収容して帆立貝を養殖する帆立貝養殖装置において、浮体とロープとの間に引っ張りバネを介設したことを特徴とする。
【００１１】
請求項２に係る考案は、請求項１において、ロープは、浮体で海中に横向きに支持された横ロープと、横ロープから垂れ下げられ、帆立貝を係止ピンを介して係止し、又は帆立貝を籠を介して収容する縦ロープとからなり、浮体と横ロープとの間に引っ張りバネを介設したことを特徴とする。
【００１２】
請求項３に係る考案は、請求項１又は２において、浮体は一部を海面上に露出し、浮体と横ロープとの間に引っ張りバネを介設し、横ロープから垂れ下げられ、帆立貝を係止ピンを介して係止し、又は帆立貝を籠を介して収容する縦ロープとからなることを特徴とする。
【００１３】
請求項４に係る考案は、請求項１〜３の何れか１項において、縦ロープの下端部は海底から離間していることを特徴とする。
【００１４】
請求項５に係る考案は、海面に浮く複数の浮体と、これらの浮体間に掛け渡された横ロープと、この横ロープから垂れ下げられた複数の縦ロープと、この縦ロープに係止した複数の係止ピンに帆立貝を係止し、又は縦ロープに帆立貝を収容する複数の籠を吊り下げて帆立貝を養殖する帆立貝養殖装置において、縦ロープに引っ張りバネを介設したことを特徴とする。
【００１５】
請求項６に係る考案は、請求項５において、縦ロープは、横ロープに連結した第１ロープと、この第１ロープに連結し、帆立貝を保持する第２ロープとからなり、第１ロープと第２ロープとの間に引っ張りバネを介設したことを特徴とする。
【００１６】
請求項７に係る考案は、請求項１〜６の何れか１項において、引っ張りバネの両端部の鉤部は、脱落防止部を備えていることを特徴とする。
【００１７】
請求項８に係る考案は、請求項７において、引っ張りバネの脱落防止部は、端部に設けたＣ形鉤部であり、この鉤部の先端部に返しを形成したことを特徴とする。
【００１８】
請求項９に係る考案は、請求項７において、引っ張りバネの鉤部の脱落防止部は、端部に設けたＣ形鉤部であり、鉤部のＣ部間に紐状部材を掛け渡して閉ループ状に構成したことを特徴とする。
【００１９】
請求項１０に係る考案は、請求項１〜６の何れか１項において、引っ張りバネの弾性限界を超えて伸びることを防止するストッパを設けたことを特徴とする。
【００２０】
請求項１１に係る考案は、請求項１０において、ストッパは、引っ張りバネの両端部とロープの連結部との間に掛け渡されたロープであることを特徴とする。
【００２１】
請求項１２に係る考案は、一部を海面上に露出する浮体で海中に横向きに配置された横ロープを支持し、この横ロープに複数の縦ロープを垂れ下げ支持し、この縦ロープに係止ピンを介して帆立貝を係止し、又は籠に帆立貝を収容して帆立貝を養殖する帆立貝養殖装置において、浮体と横ロープとの間に引っ張りバネを介設し、縦ロープと横ロープとの間に引っ張りバネを介設したことを特徴とする。
【考案の効果】
【００２２】
請求項１に係る考案では、浮体から垂れ下げられたロープに係止ピンを介して帆立貝を係止し、又は籠に帆立貝を収容して帆立貝を養殖する帆立貝養殖装置において、浮体とロープとの間に引っ張りバネを介設したので、ロープに介設した引っ張りバネにより、海中に垂下されたロープに波浪やうねりで作用する上下の揺れや振動は吸収され、帆立貝への波浪やうねりに起因する揺れや振動を抑制し、殻を閉じる頻度、程度を少なくし、餌の摂取の減少を抑制し、帆立貝の成長を促すことができる。
【００２３】
請求項２に係る考案では、ロープは、浮体で海中に横向きに支持された横ロープと、横ロープから垂れ下げられ、帆立貝を係止ピンを介して係止し、又は帆立貝を籠を介して収容する縦ロープとからなり、浮体と横ロープとの間に引っ張りバネを介設したので、請求項１の効果に加えるに、海面の波浪やうねりに起因する横ロープへの波浪、うねりの伝達は抑制、減衰され、吸収される。
【００２４】
請求項３に係る考案では、浮体は一部を海面上に露出し、浮体と横ロープとの間に引っ張りバネを介設し、横ロープから垂れ下げられ、帆立貝を係止ピンを介して係止し、又は帆立貝を籠を介して収容する縦ロープとからなるので、特に海面の波浪やうねりに起因する横ロープへの波浪、うねりの伝達は抑制、減衰され、吸収される。
【００２５】
請求項４に係る考案では、縦ロープの下端部は海底から離間しているので、請求項１〜３何れか１項の効果に加えるに、縦ロープの下端部から海星、蛸等の天敵による万一の食害を防止することができる。
【００２６】
請求項５に係る考案では、海面に浮く複数の浮体と、これらの浮体間に掛け渡された横ロープと、この横ロープから垂れ下げられた複数の縦ロープと、この縦ロープに係止した複数の係止ピンに帆立貝を係止し、又は縦ロープに帆立貝を収容する複数の籠を吊り下げて帆立貝を養殖する帆立貝養殖装置において、縦ロープに引っ張りバネを介設したので、縦ロープは安定的に海中に垂下され、縦ロープに介設した引っ張りバネにより、海中に垂下されたロープに波浪やうねりで作用する上下の揺れや振動は吸収され、帆立貝への波浪やうねりに起因する揺れや振動を抑制し、殻を閉じる頻度、程度を少なくし、餌の摂取の減少を抑制し、帆立貝の成長を促すことができる。
【００２７】
請求項６に係る考案では、縦ロープは、横ロープに連結した第１ロープと、この第１ロープに連結し、帆立貝を保持する第２ロープとからなり、第１ロープと第２ロープとの間に引っ張りバネを介設したので、請求項５の効果に加えるに、ロープは安定的に垂下され、第１ロープと第２ロープとの間に介設された引っ張りバネにより、海中に垂下されたロープに波浪やうねりで作用する上下の揺れや振動は吸収され、帆立貝への波浪やうねりに起因する揺れや振動を抑制し、殻を閉じる頻度、程度を少なくし、餌の摂取の減少を抑制し、成長を促すことができる。
【００２８】
請求項７に係る考案では、引っ張りバネの両端部の鉤部は、脱落防止部を備えているので、請求項１〜６何れか１項の効果に加えるに、波浪やうねりがあっても、ロープに引っ張りバネは確実に保持される。
【００２９】
請求項８に係る考案では、引っ張りバネの脱落防止部は、端部に設けたＣ形鉤部であり、この鉤部の先端部に返しを形成したので、請求項７の効果に加えるに、脱落防止機能の確実な脱落防止部を簡素な構造で得ることができる。
【００３０】
請求項９に係る考案では、引っ張りバネの鉤部の脱落防止部は、端部に設けたＣ形鉤部であり、鉤部のＣ部間に紐状部材を掛け渡して閉ループ状に構成したので、請求項７の効果に加えるに、脱落防止機能の確実な脱落防止部を簡素な構造で得ることができる。
【００３１】
請求項１０に係る考案では、引っ張りバネの弾性限界を超えて伸びることを防止するストッパを設けたので、請求項１〜６何れか１項の効果に加えるに、収穫時、或いは海中に投下する際、浮力が無いことから、ロープを引き上げ、投入する際に引っ張りバネに過大な荷重が作用することで引っ張りバネが弾性限界を超えて伸びるのを防止することができる。
【００３２】
請求項１１に係る考案では、ストッパは、引っ張りバネの両端部とロープの連結部との間に掛け渡されたロープとしたので、請求項１０の効果に加えるに、簡素な構造で引っ張りバネの弾性限界超えて伸びることを防止することができる。
【００３３】
請求項１２に係る考案では、一部を海面上に露出する浮体で海中に横向きに配置された横ロープを支持し、この横ロープに複数の縦ロープを垂れ下げ支持し、この縦ロープに係止ピンを介して帆立貝を係止し、又は籠に帆立貝を収容して帆立貝を養殖する帆立貝養殖装置において、浮体と横ロープとの間に引っ張りバネを介設し、縦ロープと横ロープとの間に引っ張りバネを介設したので、浮体と横ロープとの間に引っ張りバネ、縦ロープと横ロープとの間に引っ張りバネの二重の引っ張りバネで、波浪、うねり等に起因する揺動、振動を一層抑制、減衰、吸収することができる。
【図面の簡単な説明】
【００３４】
【図１】本考案に係る帆立貝養殖装置の一例を示す図で、養殖装置の全体を示す図である。
【図２】引っ張りバネと第１ロープ及び第２ロープの連結を示す説明図で、図１の要部の拡大図である。
【図３】（ａ）〜（ｃ）は、引っ張りバネによる波浪、うねりによる揺れや振動の吸収作用を示す説明図である。
【図４】図２の４−４線断面図で、引っ張りバネが伸びた状態を示す説明図である。
【図５】引っ張りバネの伸びを防止するストッパの一例を示す図である。
【図６】図５の他の実施例の図である。
【図７】引っ張りバネの脱落防止部の部分説明図である。
【図８】図７の他の実施例の図である。
【図９】本考案に係る帆立貝養殖装置の他の例を示す図で、養殖装置の全体を示す図である。
【図１０】本考案に係る帆立貝養殖装置の更なる他の例を示す図で、養殖装置の一部を示す図である。
【図１１】本考案に係る帆立貝養殖装置の更なる別の例を示す図で、養殖装置の一部を示す図である。
【図１２】従来の帆立貝の耳吊り養殖の示す説明図である。
【図１３】帆立貝の耳吊り部の詳細図である。
【図１４】図１２の要部の拡大図である。
【考案を実施するための形態】
【００３５】
本考案に係る帆立貝養殖装置の一例を示す図で、養殖装置の全体を示す図である。
帆立貝養殖装置１は、海底５１に打ち込んだアンカー２で保持されるアンカーロープ、実施例では左右に２本のアンカーロープ３，３と、アンカーロープ３，３の上端部の結束部４，４に両端部を結束した横ロープ５と、横ロープ５の長さ方向（横方向）に所定間隔で垂下（吊り下げ）された複数本の縦ロープ１０…とからなる。
【００３６】
前記アンカーロープ３，３の上端部結束部４，４は、海面５２の上に上半部が露出する露出浮体５３…に連結紐５４で連結し、実施例では、横ロープ５の長さ方向中間部を露出浮体５３に連結紐５４で連結した。これらの露出浮体５３…で海面における養殖場所の目印とした。
また、横ロープ５の長さ方向に所定間隔を開けて複数の浮体５５…を連結紐５６を介して連結し、横ロープ５を海面から所定の深さに保持した。
【００３７】
縦ロープ１０…は、横ロープ５に上端部を結束等して連結した第１ロープ１１と、海底５１から下端部が所定高さ離間している第２ロープ１２とからなる。
第１ロープ１１と第２ロープ１２とは引っ張りバネ１３で連結する。
連結部の詳細は図２に示す通りである。
【００３８】
図２は、ロープ１１，１２の連結の一例を示し、第１ロープ１１の下端部１１ａに環部１１ｂを設け、一方、第２ロープ１２の上端部１２ａに環部１２ｂを設け、この間に引っ張りバネ１３を介設して双方を連結した。
具体的には、引っ張りバネ１３は、両端部のＣ形の鉤部１３ａ、１３ｂと、この間のコイル部１３ｃとからなり、一方の鉤部１３ａを第１ロープ１１の前記環部１１ｂに引っ掛けて係止し、他方の鉤部１３ｂを第２ロープ１２の前記環部１２ｂに引っ掛けて係止した。
【００３９】
以上の縦ロープ１０、具体的は第２ロープ１２に従来と同様に係止ピン２１…を、長さ方向（上下方向）に所定間隔を開けてロープ１２と直交するように横断貫通させて通し、横向きに係止する。
以上の係止ピン２１…の両端部に、従来と同様に帆立貝２２，２２の耳片を穿孔部を介して通して係止する。
係止ピン２１…は樹脂成形品であり、係止ピンの長さは、例えば７〜８ｃｍであり、ロープ１２に１０〜１３ｃｍ間隔で係止した。
【００４０】
図３の（ａ）〜（ｃ）は、引っ張りバネによる波浪、うねりによる揺れや振動の吸収作用を示す説明図である。
（ａ）は海面５２の高さを通常状態とした場合、（ｂ）は（ａ）に対し海面が上昇した状態であり、（ｃ）は（ａ）に対して海面が低くなった状態であり、波浪やうねり等に起因して海面５２は（ａ）〜（ｃ）のように上下する。
この結果、浮体５３は海面の上下動により上下動し、浮体５３に連結、支持された横ロープ５に連結した縦ロープ１０には、横ロープ５からの上下の揺動、振動が作用する。
【００４１】
本考案では、縦ロープ１０（第１ロープ１１）の上端部が横ロープ５に連結され、また、縦ロープ１０（第２ロープ１２）の下端部は海底５１から所定間隔上がっており、縦ロープ１０（第１ロープ１１と第２ロープ１２との間）に介設されている引っ張りバネ１３が、（ａ）の状態から海面が上がった（ｂ）の状態では伸び、また海面が下がった（ｃ）の状態では引っ張りバネ１３は縮むこととなる。
この引っ張りバネ１３の伸縮作用により、縦ロープ１０の揺動、振動は吸収される。
【００４２】
従って、波浪やうねりに起因するロープの揺れや振動は可及的に吸収、抑制され、縦ロープ１０の揺動、振動は吸収、抑制され、帆立貝への揺動、振動による影響は少なく、帆立貝を可及的に静謐の環境に置き、殻の開きや閉じの頻度や程度を少なくすることができ、少しでも多くの餌を摂取させることができ、帆立貝の成長を促進させることができる。
【００４３】
図４は図２の４−４線断面図で、引っ張りバネが伸びた状態を示す説明図である。
図のように引っ張りバネ１３は前記したように伸び、波浪やうねり等の海面の上下変化に対しては追従することが可能であるが、収穫時に縦ロープ１０を海中から引き揚げる際、引っ張りバネ１３には過大の重量が作用する。
【００４４】
即ち、帆立貝の収穫時には、帆立貝は大きく成長しており、重量が稚貝の状態に対して飛躍的に増大していること、ロープや殻にはイガイ（ヒルガイ）、フジツボ、ホヤ等の雑物が付着し、これも合わせて収穫時のロープ引き揚げ時の重量は極めて大きくなる。
また、海中では浮力が作用しているが、海面から上がった状態で浮力は無くなり、これも合わさって過大な荷重がロープに作用する。
【００４５】
従って、収穫時には引っ張りバネ１３には弾性限界を超える荷重が作用する虞がある。  そこで、引っ張りバネ１３の弾性限界を超えて伸びを阻止するストッパを設けることが好ましい。
図５は、引っ張りバネの伸びを防止するストッパの一例を示す図である。
第１ロープ１１の環部１１ｂを結束してカシメる結束カシメ部１１ｃに支持金具１４を固着し、また、第２ロープ１２の環部１２ｂを結束してカシメる結束カシメ部１２ｃに支持金具１５を固着する。
【００４６】
前記支持金具１４，１５の夫々には、一側方に突出するフランジ部１４ａ，１５ａを有し、フランジ部１４ａ，１５ａ間に紐状部材、例えば、防錆性に優れる鋼製等の規制ロープ１６を掛け渡して連結する。
この規制ロープ１６の長さの範囲で引っ張りバネ１３は伸びが許容され、規制ロープ１６の許容長さ以上の伸びは規制される。
実施例では、規制ロープ１６の両端部１６ａ，１６ａをボルト１７，１７の環状頭部１７ａ，１７ａに固着し、ボルト１７，１７をフランジ部１４ａ，１５ａにナット１８…を介して螺締し、規制ロープ１６の長さをある程度可調整的に支持したものである。
【００４７】
図６は、引っ張りバネの伸びを防止するストッパの一例を示す図であり、ロープ１１，１２の環部１１ｂ，１２ｂを結束カシメする結束カシメ部１４Ａ，１５Ａには対称的に左右に突出するフランジ部１４ａ，１４ａ，１５ａ，１５ａを有し、これらの左右のフランジ部１４ａ，１４ａ，１５ａ，１５ａ間に左右２本の規制ロープ１６Ａ，１６Ｂを掛け渡してボルト、ナット１７，１８…で長さを可調節に支持したものである。
【００４８】
図７は、引っ張りバネの脱落防止部の部分説明図である。
引っ張りバネ１３の端部のＣ形の鉤部１３ａ又は１３ｂに、前記したロープ１１又は１２の環部１１ｂ又は１２ｂを引っ掛けるものであるが、脱落を防止する脱落防止部を設けることが好ましい。
図７では、Ｃ形鉤部１３ａのＣ形の開放部１３ｄに返し部１３ｅを設け、ロープ１１の環部１１ｂが鉤部１３ａのＣ形内縁に沿って移動した際、返し部１３ｅで移動を阻止するようにしたものである。
【００４９】
図８は、他の実施例を示し、鉤部１３ａのＣ形開放部の両側部１３ｆ，１３ｇ間に、開放部１３ｄを塞ぐように紐状部材１３ｈを掛け渡し、開放部１３ｄからロープ１１の環部１１ｂが鉤部１３ａのＣ形内縁に沿って移動した際、紐状部材１３ｈで脱出を阻止する。
紐状部材１３ｈは、防錆性に優れる鋼製等のものを用いる。
【００５０】
以上、本実施例を説明した。
ロープ１０（第２ロープ１２）の下端部１２ｄを海底５１から離間させた。これにより、縦ロープ１０を介して海星や蛸等の天敵が登ってきて帆立貝を食する等の食害が発生することを防止することができる。
【００５１】
縦ロープは、例えば１０〜１３ｍであり、１０〜１３ｃｍ毎に、稚貝を係止ピンで係止し、或いは、籠に収容して吊り下げるため、稚貝の数は極めて多数となり、且つロープの重量も加わり、更には経時的に貝は成長して重くなり、更には、イガイ（ヒルガイ）、フジツボ、ホヤ等の雑物が付着することからトータルとしてロープの重量は大きくなる。
このように帆立貝の生育とともに施設（ロープ等）が重くなり、海底につきそうになる。この場合には、浮体（フロート）を追加して（追い玉）浮力を増加させ、施設全体を浮かせて肩部１２ｄを海底５１から離間させ、食害を防止する。
【００５２】
図９は、本考案に係る帆立貝養殖装置の他の例を示す図で、養殖装置の全体を示す図である。
図では、前記した実施例と同一部分には同一符号を付し、詳細な説明は省略した。
本実施例では、露出浮体５３…で海中に横向きに支持された横ロープ５を海中の所定高さに保持する連結紐５６を第１の紐５６Ａと第２の紐５６Ｂに分割し、この間に引っ張りバネ３３を介設したものである。
【００５３】
第１の紐５６Ａと第２の紐５６Ｂと引っ張りバネ３３の両端部の連結は、例えば、図７、図８と同様の手法でも良く、また、引っ張りバネ３３の伸び防止手段は、例えば、図５、図６と同様の手法でも良い。
【００５４】
図１０は、本考案に係る帆立貝養殖装置の更なる別の例を示す図で、養殖装置の一部を示す図である。
図では、前記した実施例と同一部分には同一符号を付し、詳細な説明は省略した。
本実施例では、海面５２上に一部が露出する露出浮体５３…と横ロープ５との間に、引っ張りバネ４３を介設したものである。
引っ張りバネ４３は、露出浮体５３と横ロープ５との間を繋ぐ連結紐５４に介設されている。
【００５５】
連結紐５４は露出浮体５３に繋がった第１の紐５４Ａと、横ロープ５に繋がった第２の紐５４Ｂとに分割され、この間に引っ張りバネ４３を介設したものである。
第１の紐５６Ａと第２の紐５６Ｂと引っ張りバネ４３の両端部の連結は、例えば、図７、図８と同様の手法でも良く、また、引っ張りバネ４３の伸び防止手段は、例えば、図５、図６と同様の手法でも良い。
【００５６】
図１１は、本考案に係る帆立貝養殖装置の更なる別の例を示す図で、養殖装置の一部を示す図である。
図では、同様に前記した実施例と同一部分には同一符号を付し、詳細な説明は省略した。
本実施例では、図１に示す実施例に追加して、露出浮体５３と横ロープ５との間に引っ張りバネ４３を介設し、縦ロープ１０に引っ張りバネを介設した。
このように二重に引っ張りバネ４３，１３を介設することで、波浪、うねり等に起因する揺動、振動の抑制、減衰、吸収作用を、一層高めることが可能である。
本実施例でも、縦ロープ１０の下端部は海底５１から離間させた。
【００５７】
引っ張りバネ４３，１３とロープ、紐との連結部は、例えば、図７、図８と同様の手法でも良く、また、引っ張りバネ１３，４３の伸び防止手段は、例えば、図５、図６と同様の手法でも良い。
【００５８】
以上、実施例を説明した。
実施例では、帆立貝の養殖として耳吊り養殖のものを示したが、縦ロープに帆立貝を収容した籠を重層、積層した籠養殖の形式の垂下式養殖においても同様に実施することができる。
また、実施例では、縦ロープを２分割した例を示したが、例えば、横ロープに引っ張りバネの一端部を連結し、縦ロープは１本とした構造でも良い。
さらに浮体を海上に一部が露出する露出浮体と、海中に潜った状態の浮体として説明したが、多数の露出浮体のみで浮体を構成しても良いことは勿論である。
【産業上の利用可能性】
【００５９】
本考案は、帆立貝の海中への垂下式の耳吊り養殖や籠養殖に利用することができる
【符号の説明】
【００６０】
１…帆立貝養殖装置、  ５…横ロープ、  １０…縦ロープ、  １１…第１ロープ、  １２…第２ロープ、  １２ｄ…下端部、  １３，３３，４３…引っ張りバネ、  １３ａ、１３ｂ…Ｃ形鉤部、  １３ｅ…返し部、  １３ｈ…紐状部材、  １６…引っ張りバネの伸び規制ストッパ、  ５１…海底、  ５２…海面、５３，５５…浮体。
【図１】
0003181957.tif 000003
【図２】
0003181957.tif 000004
【図３】
0003181957.tif 000005
【図４】
0003181957.tif 000006
【図５】
0003181957.tif 000007
【図６】
0003181957.tif 000008
【図７】
0003181957.tif 000009
【図８】
0003181957.tif 000010
【図９】
0003181957.tif 000011
【図１０】
0003181957.tif 000012
【図１１】
0003181957.tif 000013
【図１２】
0003181957.tif 000014
【図１３】
0003181957.tif 000015
【図１４】
0003181957.tif 000016